(57)【要約】  本発明は、ＮＧＮ上で、従来のポータルサーバや映像配信サーバを大きく変更することなく、ＱｏＳを保証した高品質な映像配信サービスを実現することを目的とし、本発明の映像配信システムは、ユーザ端末装置、ＳＩＰセッション制御装置、映像配信サーバを備える映像配信システムであって、ＳＩＰセッション制御装置は、セッション確立要求を受けると、ユーザ端末装置と映像配信サーバとの間にセッションの確立を行うとともに、帯域制御装置に対して前記ユーザ端末装置と映像配信サーバとの間の通信路に映像配信用の帯域の確保し、映像配信サーバは、映像配信に必要な帯域分に応じて帯域をさらに確保するための帯域変更を要求する帯域変更要求をＳＩＰセッション制御装置に行い、ＳＩＰセッション制御装置は、帯域変更の要求を受けると、ユーザ端末装置と映像配信サーバとの間の通信路に映像配信用の帯域のさらなる確保を行う。
2008091009.tif 000002
【特許請求の範囲】
【請求項１】
ＩＰネットワークを介して接続される、ユーザ端末装置、帯域制御装置、ＳＩＰセッション制御装置、映像配信サーバを備える映像配信システムであって、
前記ユーザ端末装置は、ユーザ端末装置が映像配信サーバとの間でセッションを確立するための情報が含まれるコンテンツ情報を元に、映像配信サーバとの間でＳＩＰを用いたセッションを確立するセッション確立要求を前記ＳＩＰセッション制御装置に行い、
前記ＳＩＰセッション制御装置は、前記セッション確立要求を受けると、前記ユーザ端末装置と前記映像配信サーバとの間にセッションの確立を行うとともに、前記帯域制御装置に対して前記ユーザ端末装置と前記映像配信サーバとの間の通信路に映像配信用の帯域の確保を要求する帯域確保要求を行い、
前記帯域制御装置は前記帯域確保要求を受けると、前記ユーザ端末装置と前記映像配信サーバとの間の通信路に映像配信用の帯域を確保し、
前記ユーザ端末装置もしくは前記映像配信サーバは、前記確保された映像配信用の帯域に対して、映像配信に必要な帯域幅にあわせて帯域変更を要求する帯域変更要求を前記ＳＩＰセッション制御装置に行い、
前記ＳＩＰセッション制御装置は、前記帯域変更要求を受けると、前記帯域制御装置に対して前記ユーザ端末装置と前記映像配信サーバとの間の通信路に確保された映像配信用の帯域を映像配信用に必要な帯域幅に変更する帯域変更要求を行い、
前記帯域制御装置は前記帯域変更要求を受けると、前記ユーザ端末装置と前記映像配信サーバとの間の通信路に確保された帯域を映像配信用に必要な帯域に変更することを特徴とする映像配信システム。
【請求項２】
ＩＰネットワークを介して接続される、ユーザ端末装置、帯域制御装置、ＳＩＰセッション制御装置、映像配信サーバを備える映像配信システムであって、
前記ユーザ端末装置は、ユーザ端末装置が映像配信サーバとの間でセッションを確立するための情報が含まれるコンテンツ情報を元に、映像配信サーバとの間でＳＩＰを用いたセッションを確立するセッション確立要求を前記ＳＩＰセッション制御装置に行い、
前記ＳＩＰセッション制御装置は、前記セッション確立要求を受けると、前記ユーザ端末装置と前記映像配信サーバとの間にセッションの確立を行うとともに、前記帯域制御装置に対して前記ユーザ端末装置と前記映像配信サーバとの間の通信路に映像配信制御用のパケットを優先的に通すよう優先制御要求を行い、
前記帯域制御装置は前記優先制御要求を受けると、前記ユーザ端末装置と前記映像配信サーバとの間の通信路に映像配信制御用のパケットを優先的に通すよう優先制御を行い、
前記ユーザ端末装置もしくは前記映像配信サーバは、映像配信に必要な帯域幅にあわせて帯域確保を要求する帯域確保要求を前記ＳＩＰセッション制御装置に行い、
前記ＳＩＰセッション制御装置は、前記帯域確保要求を受けると、前記帯域制御装置に対して前記ユーザ端末装置と前記映像配信サーバとの間の通信路に映像配信用の帯域を確保するする帯域確保要求を行い、
前記帯域制御装置は前記帯域確保要求を受けると、前記ユーザ端末装置と前記映像配信サーバとの間の通信路に映像配信用に必要な帯域を確保することを特徴とする映像配信システム。
【請求項３】
ＩＰネットワークを介して接続される、ユーザ端末装置、帯域制御装置、ＳＩＰセッション制御装置、映像配信サーバを備える映像配信システムで行われる映像配信方法であって、
前記ユーザ端末装置は、ユーザ端末装置が映像配信サーバとの間でセッションを確立するための情報が含まれるコンテンツ情報を元に、映像配信サーバとの間でＳＩＰを用いたセッションを確立するセッション確立要求を前記ＳＩＰセッション制御装置に行い、
前記ＳＩＰセッション制御装置は、前記セッション確立要求を受けると、前記ユーザ端末装置と前記映像配信サーバとの間にセッションの確立を行うとともに、前記帯域制御装置に対して前記ユーザ端末装置と前記映像配信サーバとの間の通信路に映像配信用の帯域の確保を要求する帯域確保要求を行い、
前記帯域制御装置は前記帯域確保要求を受けると、前記ユーザ端末装置と前記映像配信サーバとの間の通信路に映像配信用の帯域を確保し、
前記ユーザ端末装置もしくは前記映像配信サーバは、前記確保された映像配信用の帯域に対して、映像配信に必要な帯域幅にあわせて帯域変更を要求する帯域変更要求を前記ＳＩＰセッション制御装置に行い、
前記ＳＩＰセッション制御装置は、前記帯域変更要求を受けると、前記帯域制御装置に対して前記ユーザ端末装置と前記映像配信サーバとの間の通信路に確保された映像配信用の帯域を映像配信用に必要な帯域幅に変更する帯域変更要求を行い、
前記帯域制御装置は前記帯域変更要求を受けると、前記ユーザ端末装置と前記映像配信サーバとの間の通信路に確保された帯域を映像配信用に必要な帯域に変更することを特徴とする映像配信方法。
【請求項４】
ＩＰネットワークを介して接続される、ユーザ端末装置、帯域制御装置、ＳＩＰセッション制御装置、映像配信サーバを備える映像配信システムで行われる映像配信方法であって、
前記ユーザ端末装置は、ユーザ端末装置が映像配信サーバとの間でセッションを確立するための情報が含まれるコンテンツ情報を元に、映像配信サーバとの間でＳＩＰを用いたセッションを確立するセッション確立要求を前記ＳＩＰセッション制御装置に行い、
前記ＳＩＰセッション制御装置は、前記セッション確立要求を受けると、前記ユーザ端末装置と前記映像配信サーバとの間にセッションの確立を行うとともに、前記帯域制御装置に対して前記ユーザ端末装置と前記映像配信サーバとの間の通信路に映像配信制御用のパケットを優先的に通すよう優先制御要求を行い、
前記帯域制御装置は前記優先制御要求を受けると、前記ユーザ端末装置と前記映像配信サーバとの間の通信路に映像配信制御用のパケットを優先的に通すよう優先制御を行い、
前記ユーザ端末装置もしくは前記映像配信サーバは、映像配信に必要な帯域幅にあわせて帯域確保を要求する帯域確保要求を前記ＳＩＰセッション制御装置に行い、
前記ＳＩＰセッション制御装置は、前記帯域確保要求を受けると、前記帯域制御装置に対して前記ユーザ端末装置と前記映像配信サーバとの間の通信路に映像配信用の帯域を確保するする帯域確保要求を行い、
前記帯域制御装置は前記帯域確保要求を受けると、前記ユーザ端末装置と前記映像配信サーバとの間の通信路に映像配信用に必要な帯域を確保することを特徴とする映像配信方法。
【発明の詳細な説明】
【技術分野】
【０００１】
本発明は、ＩＰ（Internet  Protocol）ネットワークを用いた映像配信システムおよび映像配信方法に関する。
【背景技術】
【０００２】
映像配信システムでは、ＱｏＳ（Quality  of  Service）の保証が十分に行われているとは言いがたく、その結果、映像配信に必要な帯域を保証することができず、サービスが必ずしも安定に動作することができないという課題があった。【０００３】
映像配信に必要な帯域を確保する技術としては特許文献１（特開２００３−０５１８４６号公報）に開示される発明がある。特許文献１には、ユーザ端末装置からのコンテンツ要求があると、コンテンツサーバ装置が帯域予約要求を帯域管理装置に送り、帯域管理装置は要求の受付が可能な場合には帯域制御部に対して帯域予約設定要求を送る構成が開示されている。【０００４】
特許文献２（特開２００５−１２６５５号公報）は、特許文献１に記載の発明でのコンテンツサーバと帯域管理装置間の制御が複雑であること、汎用のプロトコルが適用されていないことによる経済性および汎用性に問題が残るとしてなされたものである。【０００５】
特許文献２に記載の発明では、端末装置がコンテンツ配信サブシステムにセッションの確立を要求すると、ＳＩＰ（Session  Initiation  Protocol）セッション制御サブシステムがコンテンツ配信サブシステムからコンテンツの視聴に必要な帯域の情報を取得し、帯域制御サブシステムに対しては帯域予約の要求を行い、帯域制御サブシステムにより確保された帯域でコンテンツ配信サブシステムから端末装置にコンテンツの送信が行われる。
【特許文献１】特開２００３−０５１８４６号公報
【特許文献２】特開２００５−１２６５５号公報
【発明の開示】
【発明が解決しようとする課題】
【０００６】
映像配信サーバでは、ユーザ端末から配信要求を受けた際にユーザ端末とのネゴシエーションにより、現在利用可能な帯域やユーザ端末が受け取ることが可能な帯域などを考慮したうえで、配信に用いる帯域を決定することが可能であったが、事前に帯域を設定する方法では、このような柔軟な利用帯域の設定は難しいという問題があった。【０００７】
特許文献１に記載の発明では、コンテンツサーバと帯域管理装置間の制御が複雑であること、汎用のプロトコルが適用されていないことによる経済性および汎用性に問題が残る。【０００８】
一般に映像配信サーバでは、映像配信に必要な帯域はユーザ端末装置から配信開始要求を受けた際にユーザ端末とのネゴシエーションによって決定される。ＳＩＰによる帯域の確保の方法では、セッション確立時に映像配信用の帯域の確保を行う必要がある。このため、セッション確立前には帯域の確保に必要な情報を取得することが必要であり、また、ポータルサーバ等には映像配信サーバのもつ各コンテンツの配信に必要な帯域の情報と同じものが提供できるようにする必要がある。【０００９】
特許文献２に開示される発明では、ＳＩＰセッション制御サブシステムがコンテンツ配信サブシステムからコンテンツの視聴に必要な帯域の情報を取得し、帯域制御サブシステムに対しては帯域予約の要求を行い、帯域制御サブシステムにより確保された帯域でコンテンツ配信サブシステムから端末装置にコンテンツの送信が行われる構成とされている。具体的な構成としては、ＳＩＰセッション制御サブシステムがコンテンツ配信サブシステムより帯域情報を取得して蓄積し、蓄積した帯域情報に基づいて帯域を予約する。このため、ＳＩＰセッション制御サブシステムには独特の構成が要求されることとなり、やはり経済性および汎用性に問題がある。【００１０】
ＮＧＮ（Next  Generation  Network）では、ＱｏＳ制御や認証を行う機能モジュールを備え、ＩＭＳ（IP  Multimedia  Subsystems）というＳＩＰ（Session  Initiation  Protocol）サーバ群を用いてセッション制御を行うことで、安定した通信サービスの実現が可能となる。【００１１】
本発明は上述したような従来の技術が有する問題点に鑑みてなされたものであって、ＮＧＮ上で、従来のポータルサーバや映像配信サーバを大きく変更することなく、ＱｏＳを保証した高品質な映像配信サービスを実現することを目的とする。
【課題を解決するための手段】
【００１２】
本発明の映像配信システムは、ＩＰネットワークを介して接続される、ユーザ端末装置、帯域制御装置、ＳＩＰセッション制御装置、および映像配信サーバを備える映像配信システムであって、
前記ポータルサーバは、ユーザ端末装置が映像配信サーバとの間でセッションを確立するためのコンテンツ情報を格納し、
前記ユーザ端末装置は、前記ポータルサーバよりコンテンツ情報を取得し、前記コンテンツ情報に示される映像配信サーバとの間でＳＩＰを用いたセッションを確立するセッション確立要求を前記ＳＩＰセッション制御装置に行い、
前記ＳＩＰセッション制御装置は、前記セッション確立要求を受けると、前記ユーザ端末装置と前記映像配信サーバとの間にセッションの確立を行うとともに、前記帯域制御装置に対して前記ユーザ端末装置と前記映像配信サーバとの間の通信路に映像配信用の帯域の確保を要求する帯域確保要求を行い、
前記帯域制御装置は前記帯域確保要求を受けると、前記ユーザ端末装置と前記映像配信サーバとの間の通信路に映像配信用の帯域を確保し、
前記映像配信サーバは、映像配信に必要な帯域分に応じて帯域をさらに確保するための帯域変更を要求する帯域変更要求を前記ＳＩＰセッション制御装置に行い、
前記ＳＩＰセッション制御装置は、前記帯域変更の要求を受けると、前記帯域制御装置に対して前記ユーザ端末装置と前記映像配信サーバとの間の通信路に映像配信用の帯域のさらなる確保を要求する再帯域確保要求を行い、
前記帯域制御装置は前記再帯域確保要求を受けると、前記ユーザ端末装置と前記映像配信サーバとの間の通信路に映像配信用のさらなる帯域を確保する。【００１３】
本発明の映像配信方法は、ＩＰネットワークを介して接続される、ユーザ端末装置、帯域制御装置、ＳＩＰセッション制御装置、映像配信サーバ、および、前記ユーザ端末装置が前記映像配信サーバとの間でセッションを確立するためのコンテンツ情報を格納するポータルサーバを備える映像配信システムで行われる映像配信方法であって、
前記ユーザ端末装置が、前記ポータルサーバよりコンテンツ情報を取得し、前記コンテンツ情報に示される映像配信サーバとの間でＳＩＰを用いたセッションを確立するセッション確立要求を前記ＳＩＰセッション制御装置に行い、
前記セッション確立要求を受けた前記ＳＩＰセッション制御装置が、前記ユーザ端末装置と前記映像配信サーバとの間にセッションの確立を行うとともに、前記帯域制御装置に対して前記ユーザ端末装置と前記映像配信サーバとの間の通信路に映像配信用の帯域の確保を要求する帯域確保要求を行い、
前記帯域確保要求を受けた前記帯域制御装置が、前記ユーザ端末装置と前記映像配信サーバとの間の通信路に映像配信用の帯域を確保し、
前記映像配信サーバが、映像配信に必要な帯域分に応じて帯域をさらに確保するための帯域変更を要求する帯域変更要求を前記ＳＩＰセッション制御装置に行い、
前記帯域変更の要求を受けた前記ＳＩＰセッション制御装置が、前記帯域制御装置に対して前記ユーザ端末装置と前記映像配信サーバとの間の通信路に映像配信用の帯域のさらなる確保を要求する再帯域確保要求を行い、
前記再帯域確保要求を受けた前記帯域制御装置が、前記ユーザ端末装置と前記映像配信サーバとの間の通信路に映像配信用のさらなる帯域を確保する。【００１４】
上記のように構成される本発明においては、セッション確立要求を受けたＳＩＰセッション制御装置が、前記ユーザ端末装置と前記映像配信サーバとの間にセッションの確立を行うとともに、帯域制御装置に対して前記ユーザ端末装置と前記映像配信サーバとの間の通信路に映像配信用の帯域の確保を要求する帯域確保要求を行うが、このときの帯域確保要求は、帯域情報に基づいたものではない一義的なものである。その後、映像配信を行う映像配信サーバが映像配信に必要な帯域分に応じて帯域変更要求を行うと、これに応じてセッション確立時と同様にさらなる帯域確保が行われる。【００１５】
本発明は以上説明したように構成されているので、以下に記載する効果を奏する。【００１６】
映像配信サーバでは、映像配信に必要な帯域はユーザ端末装置から配信開始要求を受けた際にユーザ端末とのネゴシエーションによって決定される。本発明では、ＳＩＰセッションの確立時にはＲＴＳＰ等での映像配信の制御信号を送るための最低限の帯域を確保し、映像配信サーバが配信開始要求を受けて、映像コンテンツの配信に必要な帯域が判明した時点で、あらたに必要な帯域を確保する、このため、ポータルサーバ等にコンテンツの必要帯域などの情報を持つ必要がなく、またユーザ端末と映像配信サーバとのネゴシエーションにより必要帯域を決定してから実際の帯域を確保するため、利用できる帯域幅やユーザ端末装置の能力などを考慮した柔軟な利用帯域の設定が可能であると共に、必要な帯域のみを確保するので帯域の効率的な利用を行うことが出来る。【００１７】
この結果、ＮＧＮ上で標準的に提供される、ＳＩＰのセッション制御機能およびＩＰネットワークの帯域保証機能を用いることにより、経済的にＱｏＳを保証した高品質な映像配信サービスを提供することが可能である。
【図面の簡単な説明】
【００１８】
【図１】本発明による第一の実施の形態の構成を示すブロック図である。
【図２】本発明による第一の実施の形態の動作を示すフローチャートである。
【図３】本発明による第一の実施の形態の動作を具体的に示すシーケンス図である。
【図４】本発明による第一の実施の形態の動作を具体的に示すシーケンス図である。
【図５】本発明による第一の実施の形態の動作を具体的に示すシーケンス図である。
【図６】本発明による第一の実施の形態の動作を具体的に示すシーケンス図である。
【図７】本発明による第一の実施の形態の動作を具体的に示すシーケンス図である。
【図８】本発明による第二の実施の形態の動作を示すフローチャートである。
【図９】本発明による第二の実施形態の動作を具体的に示すシーケンス図である。
【図１０】本発明による第二の実施形態の動作を具体的に示すシーケンス図である。
【符号の説明】
【００１９】
１    ＩＰネットワーク
２    ユーザ端末装置
３    帯域制御装置
４    ＳＩＰセッション制御装置
５    ポータルサーバ
６    映像配信サーバ
【発明を実施する最良の形態】
【００２０】
次に、本発明の第一の実施の形態について図面を参照して説明する。
【００２１】
図１は本発明による第一の実施の形態の構成を示すブロック図であり、図１を参照すると、本実施形態はＮＧＮであるＩＰネットワーク１、ユーザ端末装置２、帯域制御装置３、ＳＩＰセッション制御装置４、ポータルサーバ５、映像配信サーバ６より構成され、ユーザ端末装置２、帯域制御装置３、ＳＩＰセッション制御装置４、ポータルサーバ５、映像配信サーバ６はＩＰネットワーク１により相互に接続される。
【００２２】
ユーザ端末装置２、帯域制御装置３、ＳＩＰセッション制御装置４、ポータルサーバ５、映像配信サーバ６の各装置は、ＣＰＵや主メモリ、出力装置、入力装置、外部記憶装置等を有し、光ディスク駆動装置等を介して、ＣＤ−ＲＯＭ等の記録媒体に記録されたプログラムやデータを外部記憶装置内にインストールした後、この外部記憶装置から主メモリに読み込みＣＰＵで処理することにより、各機能部の処理を実行することが可能となるコンピュータ構成を想定する。ただし、いずれかの機能をハードウェア的に実現したものなど、同等の機能を有するものであれば、この構成に限らない。
【００２３】
ＩＰネットワーク１を構成するルータ等の機器は帯域制御装置３からの要求により、指定された通信の帯域確保を行う機能を有する。
【００２４】
ユーザ端末装置２は、ＰＣ（Personal  Computer）もしくは専用のＳＴＢ（Set  Top  Box）として提供される通信端末であり、ユーザの操作により、ユーザの所望するコンテンツをＩＰネットワーク１を介して映像配信サーバ６から取得し、ディスプレイ等の出力装置に表示するためのものである。
【００２５】
ユーザ端末装置２は、ユーザがコンテンツを取得するにあたり、ＨＴＴＰまたはＨＴＴＰＳなどによって、ＷＷＷサーバであるポータルサーバ５にアクセスし、ユーザが所望するコンテンツのセッション情報およびコンテンツに関するメタ情報を取得する機能を有する。また、コンテンツを取得するに当たり、ＳＩＰ（Session  Initiation  Protocol）に基づき、ＳＩＰリクエストおよび、ＳＩＰレスポンスの送受信を行い、映像配信サーバ６、ＳＩＰセッション制御装置４と連携して、コンテンツの受信に必要な帯域の確保を行う。
【００２６】
ＳＩＰセッション制御装置４は、ユーザ端末装置２および映像配信サーバ６間のセッションの確立、終了を制御すると共に、映像配信サーバ６から要求されたコンテンツ配信に必要な帯域の確保を帯域制御装置３を用いて行う。
【００２７】
帯域制御装置３は、ＳＩＰセッション制御装置４からの要求に基づき、ＩＰネットワーク１内の、ユーザ端末装置２・映像配信サーバ６間の経路上にあるルータ等の装置を制御すること、経路上の通信路に帯域を確保する。
【００２８】
ポータルサーバ５は、一般にＷＷＷサーバとして構成され、ユーザ端末装置２に対して、ユーザが視聴可能なコンテンツの電子番組表を提供したり、またユーザが所望するコンテンツのセッション情報および、コンテンツに関するメタ情報の提供を行う。
【００２９】
映像配信サーバ６は、ＳＩＰを用いて、ＳＩＰセッション制御装置４と連携し、ユーザ端末装置２とのセッションの確立を行うと主に、ユーザ端末装置２へコンテンツを配信するのに必要な帯域の確保を行う。また帯域の確保が出来た後は、ＲＴＳＰ（Real  Time  Streaming  Protocol）等を用いてコンテンツ配信の制御を行うとともに、ＲＴＰ（Real  time  Transport  Protocol）などのプロトコルを用いてコンテンツデータをユーザ端末装置２へ配信する。
【００３０】
次に、図２は本実施形態の動作を示すフローチャート、図３ないし図５は本実施形態の動作を具体的に示すシーケンス図である。以下に、図１ないし図５を参照して本実施形態の動作について詳細に説明する。
【００３１】
本実施形態の動作の概要は図２のフローチャートに沿うものであり、図２における、それぞれのステップの詳細な手順が図３ないし図５のシーケンス図に示される。図３ないし図５のシーケンス図中の右側に記される２０１〜２０７の番号は図２のフローチャート中の各ステップに対応する。
【００３２】
本実施形態において、帯域保証を用いた映像コンテンツ配信のシーケンス処理は以下のようになる。
【００３３】
ステップ２０１として、ユーザ端末装置２はポータルサーバ５からコンテンツ配信を受けるために映像配信サーバ６にアクセスするためのアドレスなどのセッション情報およびコンテンツのタイトルなどのメタ情報などを取得する。
【００３４】
具体的なシーケンスは以下の通りである。
【００３５】
ユーザ端末装置２はポータルサーバ５へＨＴＴＰもしくはＨＴＴＰＳでアクセスし、視聴するコンテンツの情報を要求する（Ｓ３０１）。ポータルサーバ５はユーザ端末装置２へ映像配信サーバ６との間でセッションを確立するためのＳＩＰ  ＵＲＩなどのセッション情報およびコンテンツのタイトルなどコンテンツのメタ情報などを含むコンテンツ情報を送信する（Ｓ３０２）。
【００３６】
ステップ２０２では、ユーザ端末装置２はポータルサーバ５から取得したセッション情報を用いて、ＳＩＰセッション制御装置４に映像配信サーバ６とのセッションの確立を要求する。
【００３７】
具体的なシーケンスは以下の通りである。
【００３８】
ユーザ端末装置２はＳＩＰセッション制御装置４へＳＩＰ  ＩＮＶＩＴＥメッセージを送信する（Ｓ３０３）。ＳＩＰセッション制御装置４はユーザ端末装置２へＳ３０３のＳＩＰ  ＩＮＶＩＴＥへの暫定応答としてＳＩＰ  １００  Ｔｒｙｉｎｇを送信する（Ｓ３０４）。
【００３９】
ステップ２０３では、ＳＩＰセッション制御装置４はユーザ端末装置２の要求に基づき、映像配信サーバ６との間にセッションの確立を行うとともに、帯域制御装置３に対して、ユーザ端末装置２と映像配信サーバ６の間の通信路に映像配信制御用の帯域の確保を要求する。
【００４０】
具体的なシーケンスは以下の通りである。
【００４１】
ＳＩＰセッション制御装置４は帯域制御装置３に対して、映像配信制御を行うためのＲＴＳＰ（Real  Time  Streaming  Protocol）信号送受信用の帯域予約を行う（Ｓ３０５）。
【００４２】
帯域制御装置３はＩＰネットワーク１内のルータに対して帯域予約処理を行う（Ｓ３０６）。帯域予約が成功したら、帯域制御装置３はＳＩＰセッション制御装置４に対して確認応答を送信する（Ｓ３０７）。
【００４３】
帯域予約が成功し、帯域の確保が可能であることがわかった場合、ＳＩＰセッション制御装置４から映像配信サーバ６へセッションの確立要求としてＳＩＰ  ＩＮＶＩＴＥが送信される（Ｓ３０８）。
【００４４】
映像配信サーバ６からＳＩＰセッション制御装置４に対して、ＳＩＰ  ＩＮＶＩＴＥに対する暫定応答としてＳＩＰ  １００  Ｔｒｙｉｎｇが送信される（Ｓ３０９）。
【００４５】
映像配信サーバ６からＳＩＰセッション制御装置４へＳＩＰ  ＩＮＶＩＴＥに対する成功応答としてＳＩＰ  ２００  ＯＫが送信される（Ｓ３１０）。映像配信サーバ６とのセッションの確立に成功するとＳＩＰセッション制御装置４は帯域制御装置３に対して帯域確保要求を送信する（Ｓ３１１）。
【００４６】
帯域確保要求を受けた帯域制御装置３はＩＰネットワーク１内のルータ等の装置を操作し、帯域確保処理を行う（Ｓ３１２）。帯域制御装置３は帯域の確保に成功すると、ＳＩＰセッション制御装置４に対して成功応答を送信する（Ｓ３１３）。
【００４７】
ＳＩＰセッション制御装置４は帯域の確保に成功すると、ユーザ端末装置２に対して、Ｓ３のＳＩＰ  ＩＮＶＩＴＥに対する成功応答としてＳＩＰ  ２００  ＯＫを送信する（Ｓ３１４）。これに対してユーザ端末装置２からＳＩＰセッション制御装置４へは、セッション確立成功の了解を表すＳＩＰ  ＡＣＫが送信される（Ｓ３１５）。
【００４８】
また、ＳＩＰセッション制御装置４は映像配信サーバ６からのセッション確立成功メッセージ（Ｓ３１０）に対してＳＩＰ  ＡＣＫが送信される（Ｓ３１６）。
【００４９】
次に、ステップ２０４として、ユーザ端末装置２は映像配信サーバ６との間のセッションの確立に成功すると、映像配信サーバ６に対してコンテンツの配信の開始を要求する。
【００５０】
具体的なシーケンスは以下の通りである。
【００５１】
まず、ユーザ端末装置２は映像配信サーバ６との間にＲＴＳＰ（Real  Time  Streaming  Protocol）を用いるためのＴＣＰ（Transmission  Control  Protocol）セッションの確立を行う。ユーザ端末装置２から映像配信サーバ６へＴＣＰ  ＳＹＮが送信され（Ｓ３１７）、映像配信サーバ６からこの応答としてユーザ端末装置２へＴＣＰ  ＳＹＮ  ＡＣＫが送信される（Ｓ３１８）。
【００５２】
そして、ユーザ端末装置２は映像配信サーバ６へＴＣＰ  ＡＣＫが送信し（Ｓ３１９）、ユーザ端末装置２と映像配信サーバ６との間にＴＣＰセッションが確立される。ＴＣＰセッションが確立されるとユーザ端末装置２はＲＴＳＰを用いて映像配信サーバ６に映像配信開始の要求を行う。
【００５３】
ユーザ端末装置２から映像配信サーバ６へＲＴＳＰ  ＤＥＳＣＲＩＢＥが送信され（Ｓ３２０）、映像配信サーバ６からユーザ端末装置２へＲＴＰ  ＤＥＳＣＲＩＢＥに対するＲＴＳＰ  ２００  ＯＫが送信される（Ｓ３２１）。Ｓ３２０，Ｓ３２１のやりとりにより使用可能な機能の交換が行われる。この後、ユーザ端末装置２から映像配信サーバ６へＲＴＳＰ  ＳＥＴＵＰが送信され（Ｓ３２２）、伝送方式とポートのネゴシエーションが行われる。
【００５４】
ステップ２０５では、映像配信サーバ６がＳＩＰセッション制御装置４にステップ２０３で確保した帯域から、映像配信に必要な帯域分に変更することが行われる。
【００５５】
具体的なシーケンスは以下の通りである。
【００５６】
映像配信サーバ６はＳＩＰセッション制御装置４にステップ２０３で確保した帯域から、映像配信に必要な帯域分に変更するための帯域変更要求としてＳＩＰ  ＵＰＤＡＴＥを送信する（Ｓ３２３）。ＳＩＰセッション制御装置４は帯域制御装置３に対して映像配信用の帯域予約を要求する（Ｓ３２４）。
【００５７】
帯域制御装置３はＩＰネットワーク１内のルータ等を操作し帯域予約処理を行い（Ｓ３２５）、帯域制御装置３は帯域の予約処理に成功するとＳＩＰセッション制御装置４に対して確認応答を送信する（Ｓ３２６）。ＳＩＰセッション制御装置４は帯域の予約に成功し、帯域の確保が可能であることが判明すると、ユーザ端末装置２へＳＩＰ  ＵＰＤＡＴＥを送信し（Ｓ３２７）、使用可能な帯域の変更を通知する。
【００５８】
ユーザ端末装置２からＳＩＰセッション制御装置４へはＳ３２７のＳＩＰ  ＵＰＤＡＴＥに対する応答としてＳＩＰ  ２００  ＯＫが送信される（Ｓ３２８）。ＳＩＰセッション制御装置４は帯域制御装置３に対してＳ３２４，Ｓ３２５，Ｓ３２６で予約した帯域の確保要求が送信される（Ｓ３２９）。
【００５９】
帯域制御装置３はＩＰネットワーク１内のルータ等を操作し、帯域確保処理を行う（Ｓ３３０）。帯域確保に成功すると、帯域制御装置３はＳＩＰセッション制御装置４に対して、確認応答を送信する（Ｓ３３１）。映像配信用の帯域の確保に成功すると、ＳＩＰセッション制御装置４は映像配信サーバ６に対して、Ｓ３２３のＳＩＰ  ＵＰＤＡＴＥに対する成功応答としてＳＩＰ  ２００  ＯＫを送信する（Ｓ３３２）。
【００６０】
映像配信サーバ６はユーザ端末装置２へＳ３２２のＲＴＳＰ  ＳＥＴＵＰに対する成功応答としてＲＴＳＰ  ２００  ＯＫを送信する（Ｓ３３３）。
【００６１】
ステップ２０６では、映像配信用の帯域の確保が完了すると、ユーザ端末装置２からの要求により映像配信サーバ６からコンテンツの配信が開始される。
【００６２】
具体的なシーケンスは以下の通りである。
【００６３】
ユーザ端末装置２から映像配信サーバ６へ再生開始要求としてＲＴＳＰ  ＰＬＡＹが送信され（Ｓ３３４）、映像配信サーバ６からユーザ端末装置２へＳ３４のＲＴＳＰ  ＰＬＡＹに対する成功応答としてＲＴＳＰ  ２００  ＯＫが送信される（Ｓ３３５）。
【００６４】
映像配信サーバ６からユーザ端末装置２へＲＴＰ等を用いて、映像コンテンツのデータが配信される（Ｓ３３６）。コンテンツの再生が終了し、ユーザ端末装置２から映像配信サーバ６へＲＴＳＰ  ＴＥＲＤＯＷＮが送信され（Ｓ３３７）、映像配信サーバ６からユーザ端末装置２に対してＳ３３７の応答としてＲＴＳＰ  ２００  ＯＫが送信されると（Ｓ３３８）、映像配信が終了し、ＲＴＳＰセッションが切断される。
【００６５】
コンテンツの配信が終了すると、ステップ２０７として、ＳＩＰセッションの終了と確保していた帯域の開放が行われる。
【００６６】
具体的なシーケンスは以下の通りである。
【００６７】
ユーザ端末装置２からＳＩＰセッション制御装置４へセッションの終了要求としてＳＩＰ  ＢＹＥが送信される（Ｓ３３９）。ＳＩＰセッション制御装置４は帯域制御装置３に対して帯域解放要求を送信する（Ｓ３４０）。
【００６８】
帯域開放要求を受けた帯域制御装置３はＩＰネットワーク１内のルータ等を操作し、当該セッションのために確保されていた帯域の開放処理を行い（Ｓ３４１）、帯域の開放に成功するとＳＩＰセッション制御装置４に対して確認応答を送信する（Ｓ３４２）。
【００６９】
ＳＩＰセッション制御装置４は映像配信サーバ６へセッション終了要求としてＳＩＰ  ＢＹＥを送信する（Ｓ３４３）。映像配信サーバ６からＳＩＰセッション制御装置４へＳ３４３のＳＩＰ  ＢＹＥに対する応答としてＳＩＰ  ２００  ＯＫが送信され（Ｓ３４４）、ＳＩＰセッション制御装置４と映像配信サーバ６との間のＳＩＰセッションが終了する。
【００７０】
ＳＩＰセッション制御装置４はユーザ端末装置２へＳ３３９のＳＩＰ  ＢＹＥに対する応答として、ＳＩＰ  ２００  ＯＫを送信し（Ｓ３４５）、ＳＩＰセッション制御装置４とユーザ端末装置２の間のＳＩＰセッションが終了する。
【００７１】
本発明では、ＳＩＰセッション制御装置は、ＳＩＰセッションの確立時にはＲＴＳＰ等での映像配信の制御信号を送るための最低限の帯域を確保し、映像配信サーバ６が配信開始要求を受けて、映像コンテンツの配信に必要な帯域が判明した時点で、あらたに必要な帯域を確保する、このため、ポータルサーバ５等にコンテンツの必要帯域などの情報を持つ必要がなく、またユーザ端末２と映像配信サーバ６とのネゴシエーションにより必要帯域を決定してから実際の帯域を確保するため、利用できる帯域幅やユーザ端末装置２の能力などを考慮した柔軟な利用帯域の設定が可能であると共に、必要な帯域のみを確保するので帯域の効率的な利用を行うことが出来る。
【００７２】
以上、実施形態を参照して本願発明を説明したが、本願発明は上記実施形態に限定されるものではない。本願発明の構成や詳細には、本願発明のスコープ内で当業者が理解し得る様々な変更をすることができる。
一例として、本実施の形態ではユーザ端末装置２がポータルサーバ５からコンテンツ情報を取得する場合を示すが、コンテンツ情報はポータルサーバ５から取得するほかに、あらかじめユーザ端末装置２内の記憶装置などに保存しておくことも可能である。また、光学ディスクや外部メモリなどを経由して取得するものとしてもよい。その他任意の方法でコンテンツ情報を取得することが可能である。
また、各ステップを実現する方法として、具体的なシーケンスを示すが、各ステップの実行にあたり、シーケンスの一部が省略・順序の変更がされたり、また、異なるプロトコルを用いる場合でも、同様の機能を実現するものであれば、置き換え可能である。
【００７３】
一例として、図６に示すように、ステップ２０２、ステップ２０３およびステップ２０６において行われる帯域予約処理は省略可能である。
【００７４】
この場合のステップ２０２およびステップ２０３の具体的な動作を図６を参照して説明する。
【００７５】
ステップ２０２では、ユーザ端末装置２はポータルサーバ５から取得したセッション情報を用いて、ＳＩＰセッション制御装置４に映像配信サーバ６とのセッションの確立を要求する。
【００７６】
具体的なシーケンスは以下の通りである。
【００７７】
ユーザ端末装置２はＳＩＰセッション制御装置４へＳＩＰ  ＩＮＶＩＴＥメッセージを送信する（Ｓ６０１）。ＳＩＰセッション制御装置４はユーザ端末装置２へＳ３０３のＳＩＰ  ＩＮＶＩＴＥへの暫定応答としてＳＩＰ  １００  Ｔｒｙｉｎｇを送信する（Ｓ６０２）。
【００７８】
ステップ２０３では、ＳＩＰセッション制御装置４はユーザ端末装置２の要求に基づき、映像配信サーバ６との間にセッションの確立を行うとともに、帯域制御装置３に対して、ユーザ端末装置２と映像配信サーバ６の間の通信路に映像配信制御用の帯域の確保を要求する。
具体的なシーケンスは以下の通りである。
【００７９】
ＳＩＰセッション制御装置４は帯域制御装置３に対して、映像配信制御を行うためのＲＴＳＰ（Real  Time  Streaming  Protocol）信号送受信用の帯域確保要求を行う（Ｓ３０５）。
【００８０】
帯域確保要求を受けた帯域制御装置３はＩＰネットワーク１内のルータ等の装置を操作し、帯域確保処理を行う（Ｓ６０４）。帯域制御装置３は帯域の確保に成功すると、ＳＩＰセッション制御装置４に対して成功応答を送信する（Ｓ６０５）。
【００８１】
帯域確保が成功した場合、ＳＩＰセッション制御装置４から映像配信サーバ６へセッションの確立要求としてＳＩＰ  ＩＮＶＩＴＥが送信される（Ｓ６０６）。
【００８２】
映像配信サーバ６からＳＩＰセッション制御装置４に対して、ＳＩＰ  ＩＮＶＩＴＥに対する暫定応答としてＳＩＰ  １００  Ｔｒｙｉｎｇが送信される（Ｓ６０７）。
【００８３】
映像配信サーバ６からＳＩＰセッション制御装置４へＳＩＰ  ＩＮＶＩＴＥに対する成功応答としてＳＩＰ  ２００  ＯＫが送信される（Ｓ６０８）。
【００８４】
ＳＩＰセッション制御装置４は、ユーザ端末装置２に対して、Ｓ６０１のＳＩＰ  ＩＮＶＩＴＥに対する成功応答としてＳＩＰ  ２００  ＯＫを送信する（Ｓ６０９）。これに対してユーザ端末装置２からＳＩＰセッション制御装置４へは、セッション確立成功の了解を表すＳＩＰ  ＡＣＫが送信される（Ｓ６１０）。
【００８５】
また、ＳＩＰセッション制御装置４は映像配信サーバ６からのセッション確立成功メッセージ（Ｓ３０８）に対してＳＩＰ  ＡＣＫが送信される（Ｓ６１１）。
【００８６】
また、もう一つの例として、図７に示すように、ステップ２０４において、RTSPによって映像配信サーバ５からユーザ端末装置２へ必要な帯域幅に関する情報を送信しておき、ステップ２０５において、ユーザ端末装置２から帯域幅の変更要求を行うことも可能である。
【００８７】
この場合のステップ２０４、ステップ２０５の動作を図７を参照して説明する。
【００８８】
ステップ２０４として、ユーザ端末装置２は映像配信サーバ６との間のセッションの確立に成功すると、映像配信サーバ６に対してコンテンツの配信の開始を要求するとともにコンテンツの配信に必要な帯域幅に関する情報を取得する。
【００８９】
具体的なシーケンスは以下の通りである。
【００９０】
まず、ユーザ端末装置２は映像配信サーバ６との間にＲＴＳＰ（Real  Time  Streaming  Protocol）を用いるためのＴＣＰ（Transmission  Control  Protocol）セッションの確立を行う。ユーザ端末装置２から映像配信サーバ６へＴＣＰ  ＳＹＮが送信され（Ｓ７０１）、映像配信サーバ６からこの応答としてユーザ端末装置２へＴＣＰ  ＳＹＮ  ＡＣＫが送信される（Ｓ７０２）。
【００９１】
そして、ユーザ端末装置２は映像配信サーバ６へＴＣＰ  ＡＣＫが送信し（Ｓ７０３）、ユーザ端末装置２と映像配信サーバ６との間にＴＣＰセッションが確立される。ＴＣＰセッションが確立されるとユーザ端末装置２はＲＴＳＰを用いて映像配信サーバ６に映像配信開始の要求を行う。
【００９２】
ユーザ端末装置２から映像配信サーバ６へＲＴＳＰ  ＤＥＳＣＲＩＢＥが送信され（Ｓ７０４）、映像配信サーバ６からユーザ端末装置２へＲＴＰ  ＤＥＳＣＲＩＢＥに対するＲＴＳＰ  ２００  ＯＫが送信される（Ｓ７０５）。この応答として、映像配信サーバ６はユーザ端末装置２へコンテンツ配信に必要な帯域幅に関する情報を含めて送信する。この後、ユーザ端末装置２から映像配信サーバ６へＲＴＳＰ  ＳＥＴＵＰが送信され（Ｓ７０６）、伝送方式とポートのネゴシエーションが行われる。
【００９３】
ステップ２０５では、ユーザ端末装置２がＳＩＰセッション制御装置４にステップ３０３で確保した帯域から、映像配信に必要な帯域分に変更することが行われる。
【００９４】
具体的なシーケンスは以下の通りである。
【００９５】
ユーザ端末装置２はステップ２０４で取得したコンテンツ配信に必要な帯域幅に関する情報を用いて、ＳＩＰセッション制御装置４にステップ２０３で確保した帯域から、映像配信に必要な帯域分に変更するための帯域変更要求としてＳＩＰ  ＵＰＤＡＴＥを送信する（Ｓ７０７）。ＳＩＰセッション制御装置４は帯域制御装置３に対して映像配信用の帯域予約を要求する（Ｓ７０８）。
【００９６】
帯域制御装置３はＩＰネットワーク１内のルータ等を操作し帯域予約処理を行い（Ｓ７０９）、帯域制御装置３は帯域の予約処理に成功するとＳＩＰセッション制御装置４に対して確認応答を送信する（Ｓ７１０）。ＳＩＰセッション制御装置４は帯域の予約に成功し、帯域の確保が可能であることが判明すると、映像配信サーバ６へＳＩＰ  ＵＰＤＡＴＥを送信し（Ｓ７１１）、使用可能な帯域の変更を通知する。
【００９７】
映像配信サーバ６からＳＩＰセッション制御装置４へはＳ７１１のＳＩＰ  ＵＰＤＡＴＥに対する応答としてＳＩＰ  ２００  ＯＫが送信される（Ｓ７１２）。ＳＩＰセッション制御装置４は帯域制御装置３に対してＳ７０８，Ｓ７０９，Ｓ７１０で予約した帯域の確保要求が送信される（Ｓ７１３）。
【００９８】
帯域制御装置３はＩＰネットワーク１内のルータ等を操作し、帯域確保処理を行う（Ｓ７１４）。帯域確保に成功すると、帯域制御装置３はＳＩＰセッション制御装置４に対して、確認応答を送信する（Ｓ７１５）。映像配信用の帯域の確保に成功すると、ＳＩＰセッション制御装置４はユーザ端末装置２に対して、Ｓ７０７のＳＩＰ  ＵＰＤＡＴＥに対する成功応答としてＳＩＰ  ２００  ＯＫを送信する（Ｓ７１６）。
【００９９】
映像配信サーバ６はユーザ端末装置２へＳ７０６のＲＴＳＰ  ＳＥＴＵＰに対する成功応答としてＲＴＳＰ  ２００  ＯＫを送信する（Ｓ７１７）。
[第二の実施の形態]
次に、本発明の第二の実施の形態について図面を参照して説明する。
【０１００】
図1に本実施の形態の構成を示す。本実施の形態の構成は第一の実施の形態と同様であるので、第一の実施の形態と異なる部分のみ説明する。
【０１０１】
ＳＩＰセッション制御装置４は、ユーザ端末装置２および映像配信サーバ６間のセッションの確立、終了を制御すると共に、映像配信サーバ６から要求されたコンテンツ配信に必要な帯域の確保および特定の種類のパケットが優先的に通信路上を流れるようにする優先制御を帯域制御装置３を用いて行う。
【０１０２】
帯域制御装置３は、ＳＩＰセッション制御装置４からの要求に基づき、ＩＰネットワーク１内の、ユーザ端末装置２・映像配信サーバ６間の経路上にあるルータ等の装置を制御することにより、経路上の通信路に帯域の確保および優先制御を行う。
【０１０３】
次に、図８は本実施形態の動作を示すフローチャート、図９および図１０は本実施形態の動作を具体的に示すシーケンス図である。以下に、図９および図１０を参照して本実施形態の動作について詳細に説明する。
【０１０４】
本実施形態の動作の概要は図８のフローチャートに沿うものであり、図８における、それぞれのステップの詳細な手順が図９および図１０のシーケンス図に示される。図９および図１０のシーケンス図中の右側に記される８０１〜８０５の番号は図８のフローチャート中の各ステップに対応する。ただし、各ステップを実現する方法として、具体的なシーケンスを示すが、各ステップの実行にあたり、シーケンスの一部が省略・順序の変更がされたり、また、異なるプロトコルを用いる場合でも、同様の機能を実現するものであれば、置き換え可能である。
【０１０５】
本実施形態において、帯域保証を用いた映像コンテンツ配信のシーケンス処理は以下のようになる。
【０１０６】
本実施の形態におけるステップ８０１、ステップ８０２、ステップ８０４、ステップ８０６、ステップ８０７は第一の実施の形態のステップ２０１、ステップ２０２、ステップ２０４、ステップ２０６、ステップ２０７とそれぞれ同様なため説明を省略する。
【０１０７】
ステップ８０３では、ＳＩＰセッション制御装置４はユーザ端末装置２の要求に基づき、映像配信サーバ６との間にセッションの確立を行うとともに、帯域制御装置３に対して、ユーザ端末装置２と映像配信サーバ６の間の通信路にＲＴＳＰなどの映像配信制御用のパケットを優先的に通信路に流す有線制御を行うよう要求する。
【０１０８】
具体的なシーケンスは以下の通りである。
【０１０９】
ＳＩＰセッション制御装置４は帯域制御装置３に対して、映像配信制御を行うためのＲＴＳＰ信号パケットを優先的に流すように要求する。（Ｓ９０５）。
【０１１０】
帯域制御装置３はＩＰネットワーク１内のルータに対して優先制御処理を行う（Ｓ９０６）。優先制御処理が成功したら、帯域制御装置３はＳＩＰセッション制御装置４に対して確認応答を送信する（Ｓ９０７）。
【０１１１】
優先制御処理が成功した場合、ＳＩＰセッション制御装置４から映像配信サーバ６へセッションの確立要求としてＳＩＰ  ＩＮＶＩＴＥが送信される（Ｓ９０８）。
【０１１２】
映像配信サーバ６からＳＩＰセッション制御装置４に対して、ＳＩＰ  ＩＮＶＩＴＥに対する暫定応答としてＳＩＰ  １００  Ｔｒｙｉｎｇが送信される（Ｓ９０９）。
【０１１３】
映像配信サーバ６からＳＩＰセッション制御装置４へＳＩＰ  ＩＮＶＩＴＥに対する成功応答としてＳＩＰ  ２００  ＯＫが送信される（Ｓ９１０）。
【０１１４】
ＳＩＰセッション制御装置４は帯域の確保に成功すると、ユーザ端末装置２に対して、Ｓ３のＳＩＰ  ＩＮＶＩＴＥに対する成功応答としてＳＩＰ  ２００  ＯＫを送信する（Ｓ９１１）。これに対してユーザ端末装置２からＳＩＰセッション制御装置４へは、セッション確立成功の了解を表すＳＩＰ  ＡＣＫが送信される（Ｓ９１２）。
【０１１５】
また、ＳＩＰセッション制御装置４は映像配信サーバ６からのセッション確立成功メッセージ（Ｓ９０８）に対してＳＩＰ  ＡＣＫが送信される（Ｓ９１３）。
【０１１６】
次に、ステップ８０４として、ユーザ端末装置２は映像配信サーバ６との間のセッションの確立に成功すると、映像配信サーバ６に対してコンテンツの配信の開始を要求する。
【０１１７】
ステップ８０５では、映像配信サーバ６がＳＩＰセッション制御装置４に映像配信に必要な帯域を確保することが行われる。
【０１１８】
具体的なシーケンスは以下の通りである。
【０１１９】
映像配信サーバ６はＳＩＰセッション制御装置４に映像配信に必要な帯域分を確保するための帯域確保の要求としてＳＩＰ  ＵＰＤＡＴＥを送信する（Ｓ９２０）。ＳＩＰセッション制御装置４は帯域制御装置３に対して映像配信用の帯域予約を要求する（Ｓ９２１）。
【０１２０】
帯域制御装置３はＩＰネットワーク１内のルータ等を操作し帯域予約処理を行い（Ｓ９２２）、帯域制御装置３は帯域の予約処理に成功するとＳＩＰセッション制御装置４に対して確認応答を送信する（Ｓ９２３）。ＳＩＰセッション制御装置４は帯域の予約に成功し、帯域の確保が可能であることが判明すると、ユーザ端末装置２へＳＩＰ  ＵＰＤＡＴＥを送信し（Ｓ９２４）、使用可能な帯域の変更を通知する。
【０１２１】
ユーザ端末装置２からＳＩＰセッション制御装置４へはＳ９２０のＳＩＰ  ＵＰＤＡＴＥに対する応答としてＳＩＰ  ２００  ＯＫが送信される（Ｓ９２５）。ＳＩＰセッション制御装置４は帯域制御装置３に対してＳ９２１，Ｓ９２２，Ｓ９２３で予約した帯域の確保要求が送信される（Ｓ９２６）。
【０１２２】
帯域制御装置３はＩＰネットワーク１内のルータ等を操作し、帯域確保処理を行う（Ｓ９２７）。帯域確保に成功すると、帯域制御装置３はＳＩＰセッション制御装置４に対して、確認応答を送信する（Ｓ９２８）。映像配信用の帯域の確保に成功すると、ＳＩＰセッション制御装置４は映像配信サーバ６に対して、Ｓ２３のＳＩＰ  ＵＰＤＡＴＥに対する成功応答としてＳＩＰ  ２００  ＯＫを送信する（Ｓ９２９）。
【０１２３】
映像配信サーバ６はユーザ端末装置２へＳ２２のＲＴＳＰ  ＳＥＴＵＰに対する成功応答としてＲＴＳＰ  ２００  ＯＫを送信する（Ｓ９３０）。
【０１２４】
本発明では、第一の実施の形態と同様に、ＳＩＰセッション制御装置は、ＳＩＰセッションの確立時にはＲＴＳＰ等での映像配信の制御信号を優先的に通信路を流れるよう優先制御のみを行い、映像配信サーバ６が配信開始要求を受けて、映像コンテンツの配信に必要な帯域が判明した時点で、必要な帯域を確保する。このため、ポータルサーバ５等にコンテンツの必要帯域などの情報を持つ必要がなく、またユーザ端末２と映像配信サーバ６とのネゴシエーションにより必要帯域が決定してから実際の帯域を確保するため、利用できる帯域幅やユーザ端末装置２の能力などを考慮した柔軟な利用帯域の設定が可能であると共に、必要な帯域のみを確保するので帯域の効率的な利用を行うことが出来る。
【０１２５】
以上、実施形態を参照して本願発明を説明したが、本願発明は上記実施形態に限定されるものではない。第一の実施の形態において一例を示したのと同様に、本願発明の構成や詳細には、本願発明のスコープ内で当業者が理解し得る様々な変更をすることができる。
【０１２６】
この出願は２００７年１月２６日に出願された日本出願特願２００７−０１６３８０号を基礎とする優先権を主張し、その開示の全てをここに取り込む。
【図１】
2008091009.tif 000003
【図２】
2008091009.tif 000004
【図３】
2008091009.tif 000005
【図４】
2008091009.tif 000006
【図５】
2008091009.tif 000007
【図６】
2008091009.tif 000008
【図７】
2008091009.tif 000009
【図８】
2008091009.tif 000010
【図９】
2008091009.tif 000011
【図１０】
2008091009.tif 000012
【手続補正書】
【提出日】平成20年11月26日(2008.11.26)
【手続補正１】
【補正対象書類名】特許請求の範囲
【補正対象項目名】全文
【補正方法】変更
【補正の内容】
【特許請求の範囲】
【請求項１】
ＩＰネットワークを介して接続される、ユーザ端末装置、帯域制御装置、ＳＩＰセッション制御装置、映像配信サーバを備える映像配信システムであって、
前記ユーザ端末装置は、ユーザ端末装置が映像配信サーバとの間でセッションを確立するための情報が含まれるコンテンツ情報を元に、映像配信サーバとの間でＳＩＰを用いたセッションを確立するセッション確立要求を前記ＳＩＰセッション制御装置に行い、
前記ＳＩＰセッション制御装置は、前記セッション確立要求を受けると、前記ユーザ端末装置と前記映像配信サーバとの間にセッションの確立を行うとともに、前記帯域制御装置に対して前記ユーザ端末装置と前記映像配信サーバとの間の通信路に映像配信用の帯域の確保を要求する帯域確保要求を行い、
前記帯域制御装置は前記帯域確保要求を受けると、前記ユーザ端末装置と前記映像配信サーバとの間の通信路に映像配信用の帯域を確保し、
前記ユーザ端末装置もしくは前記映像配信サーバは、前記確保された映像配信用の帯域に対して、映像配信に必要な帯域幅にあわせて帯域変更を要求する帯域変更要求を前記ＳＩＰセッション制御装置に行い、
前記ＳＩＰセッション制御装置は、前記帯域変更要求を受けると、前記帯域制御装置に対して前記ユーザ端末装置と前記映像配信サーバとの間の通信路に確保された映像配信用の帯域を映像配信用に必要な帯域に変更する帯域変更要求を行い、
前記帯域制御装置は前記帯域変更要求を受けると、前記ユーザ端末装置と前記映像配信サーバとの間の通信路に確保された帯域を映像配信用に必要な帯域に変更することを特徴とする映像配信システム。
【請求項２】
ＩＰネットワークを介して接続される、ユーザ装置端末、帯域制御装置、ＳＩＰセッション制御装置、映像配信サーバを備える映像配信システムであって、
前記ユーザ端末装置は、ユーザ端末装置が映像配信サーバとの間でセッションを確立するための情報が含まれるコンテンツ情報を元に、映像配信サーバとの間でＳＩＰを用いたセッションを確立するセッション確立要求を前記ＳＩＰセッション制御装置に行い、
前記ＳＩＰセッション制御装置は、前記セッション確立要求を受けると、前記ユーザ端末装置と前記映像配信サーバとの間にセッションの確立を行うとともに、前記帯域制御装置に対して前記ユーザ端末装置と前記映像配信サーバとの間の通信路に映像配信制御用のパケットを優先的に通すよう優先制御要求を行い、
前記帯域制御装置は前記優先制御要求を受けると、前記ユーザ端末装置と前記映像配信サーバとの間の通信路に映像配信制御用のパケットを優先的に通すよう優先制御を行い、
前記ユーザ端末装置もしくは前記映像配信サーバは、映像配信に必要な帯域幅にあわせて帯域確保を要求する帯域確保要求を前記ＳＩＰセッション制御装置に行い、
前記ＳＩＰセッション制御装置は、前記帯域確保要求を受けると、前記帯域制御装置に対して前記ユーザ端末装置と前記映像配信サーバとの間の通信路に映像配信用の帯域を確保する帯域確保要求を行い、
前記帯域制御装置は前記帯域確保要求を受けると、前記ユーザ端末装置と前記映像配信サーバとの間の通信路に映像配信用に必要な帯域を確保する映像配信システム。
【請求項３】
ＩＰネットワークを介して接続される、ユーザ端末装置、帯域制御装置、ＳＩＰセッション制御装置、映像配信サーバを備える映像配信システムで行われる映像配信方法であって、
前記ユーザ端末装置は、ユーザ端末装置が映像配信サーバとの間でセッションを確立するための情報が含まれるコンテンツ情報を元に、映像配信サーバとの間でＳＩＰを用いたセッションを確立するセッション確立要求を前記ＳＩＰセッション制御装置に行い、
前記ＳＩＰセッション制御装置は、前記セッション確立要求を受けると、前記ユーザ端末装置と前記映像配信サーバとの間にセッションの確立を行うとともに、前記帯域制御装置に対して前記ユーザ端末装置と前記映像配信サーバとの間の通信路に映像配信用の帯域の確保を要求する帯域確保要求を行い、
前記帯域制御装置は前記帯域確保要求を受けると、前記ユーザ端末装置と前記映像配信サーバとの間の通信路に映像配信用の帯域を確保し、
前記ユーザ端末装置もしくは前記映像配信サーバは、前記確保された映像配信用の帯域に対して、映像配信に必要な帯域幅にあわせて帯域変更を要求する帯域変更要求を前記ＳＩＰセッション制御装置に行い、
前記ＳＩＰセッション制御装置は、前記帯域変更要求を受けると、前記帯域制御装置に対して前記ユーザ端末装置と前記映像配信サーバとの間の通信路に確保された映像配信用の帯域を映像配信用に必要な帯域に変更する帯域変更要求を行い、
前記帯域制御装置は前記帯域変更要求を受けると、前記ユーザ端末装置と前記映像配信サーバとの間の通信路に確保された帯域を映像配信用に必要な帯域に変更することを特徴とする映像配信方法。
【請求項４】
ＩＰネットワークを介して接続される、ユーザ端末装置、帯域制御装置、ＳＩＰセッション制御装置、映像配信サーバを備える映像配信システムで行われる映像配信方法であって、
前記ユーザ端末装置は、ユーザ端末装置が映像配信サーバとの間でセッションを確立するための情報が含まれるコンテンツ情報を元に、映像配信サーバとの間でＳＩＰを用いたセッションを確立するセッション確立要求を前記ＳＩＰセッション制御装置に行い、
前記ＳＩＰセッション制御装置は、前記セッション確立要求を受けると、前記ユーザ端末装置と前記映像配信サーバとの間にセッションの確立を行うとともに、前記帯域制御装置に対して前記ユーザ端末装置と前記映像配信サーバとの間の通信路に映像配信制御用のパケットを優先的に通すよう優先制御要求を行い、
前記帯域制御装置は前記優先制御要求を受けると、前記ユーザ端末装置と前記映像配信サーバとの間の通信路に映像配信制御用のパケットを優先的に通すよう優先制御を行い、
前記ユーザ端末装置もしくは前記映像配信サーバは、映像配信に必要な帯域幅にあわせて帯域確保を要求する帯域確保要求を前記ＳＩＰセッション制御装置に行い、
前記ＳＩＰセッション制御装置は、前記帯域確保要求を受けると、前記帯域制御装置に対して前記ユーザ端末装置と前記映像配信サーバとの間の通信路に映像配信用の帯域を確保する帯域確保要求を行い、
前記帯域制御装置は前記帯域確保要求を受けると、前記ユーザ端末装置と前記映像配信サーバとの間の通信路に映像配信用に必要な帯域を確保する映像配信方法。
【請求項５】
ＩＰネットワークを介して接続される、ユーザ端末装置、帯域制御装置、ＳＩＰセッション制御装置、映像配信サーバを備える映像配信システムであって、
前記ユーザ端末装置は、ユーザ端末装置が映像配信サーバとの間でセッションを確立するための情報が含まれるコンテンツ情報を元に、映像配信サーバとの間でＳＩＰを用いたセッションを確立するセッション確立要求を前記ＳＩＰセッション制御装置に行い、
前記ＳＩＰセッション制御装置は、前記セッション確立要求を受けると、前記ユーザ端末装置と前記映像配信サーバとの間にセッションの確立を行うとともに、前記帯域制御装置に対して前記ユーザ端末装置と前記映像配信サーバとの間の通信路に映像配信用の帯域の確保を要求する帯域確保要求を行い、
前記ユーザ端末装置と前記映像配信サーバとの間でセッションの確立が行われる際に、
前記帯域制御装置は前記帯域確保要求を受けると、前記ユーザ端末装置と前記映像配信サーバとの間の通信路に映像配信用の帯域を確保し、
前記ユーザ端末装置もしくは映像配信サーバは、前記確保された映像配信用の帯域に対して、帯域変更を要求する帯域変更要求を前記ＳＩＰセッション制御装置に行い、
前記ＳＩＰセッション制御装置は、前記帯域変更要求を受けると、前記帯域制御装置に対して前記ユーザ端末装置と前記映像配信サーバとの間の通信路に確保された映像配信用の帯域を要求された帯域に変更する帯域変更要求を行い、
前記帯域制御装置は前記帯域変更要求を受けると、前記ユーザ端末装置と前記映像配信サーバとの間の通信路に確保された帯域を要求された帯域に変更する映像配信システム。
【請求項６】
ＩＰネットワークを介して接続される、ユーザ端末装置、帯域制御装置、ＳＩＰセッション制御装置、映像配信サーバを備える映像配信システムで行われる映像配信方法であって、
前記ユーザ端末装置は、ユーザ端末装置が映像配信サーバとの間でセッションを確立するための情報が含まれるコンテンツ情報を元に、映像配信サーバとの間でＳＩＰを用いたセッションを確立するセッション確立要求を前記ＳＩＰセッション制御装置に行い、
前記ＳＩＰセッション制御装置は、前記セッション確立要求を受けると、前記ユーザ端末装置と前記映像配信サーバとの間にセッションの確立を行うとともに、前記帯域制御装置に対して前記ユーザ端末装置と前記映像配信サーバとの間の通信路に映像配信用の帯域の確保を要求する帯域確保要求を行い、
前記ユーザ端末装置と前記映像配信サーバとの間でセッションの確立が行われる際に、
前記帯域制御装置は前記帯域確保要求を受けると、前記ユーザ端末装置と前記映像配信サーバとの間の通信路に映像配信用の帯域を確保し、
前記ユーザ端末装置もしくは前記映像配信サーバは、前記確保された映像配信用の帯域に対して、帯域変更を要求する帯域変更要求を前記ＳＩＰセッション制御装置に行い、
前記ＳＩＰセッション制御装置は、前記帯域変更要求を受けると、前記帯域制御装置に対して前記ユーザ端末装置と前記映像配信サーバとの間の通信路に確保された映像配信用の帯域を要求された帯域に変更する帯域変更要求を行い、
前記帯域制御装置は前記帯域変更要求を受けると、前記ユーザ端末装置と前記映像配信サーバとの間の通信路に確保された帯域を要求された帯域に変更する映像配信方法。
【請求項７】
ＩＰネットワークを介して接続される、ユーザ端末装置、ＳＩＰセッション制御装置、映像配信サーバを備える映像配信システムにおける映像配信サーバであって、
前記ユーザ端末装置と前記映像配信サーバとの間の通信路に映像配信用の帯域が確保された後、前記確保された映像配信用の帯域に対して、帯域変更を要求する帯域変更要求を前記ＳＩＰセッション制御装置に行う、映像配信サーバ。
【請求項８】
ＩＰネットワークを介して接続される、ユーザ端末装置、帯域制御装置、ＳＩＰセッション制御装置、映像配信サーバを備える映像配信システムにおけるＳＩＰセッション制御装置であって、
前記ユーザ端末装置と前記映像配信サーバとの間の通信路に映像配信用の帯域が確保された後、前記確保された映像配信用の帯域に対して、帯域変更を要求する帯域変更要求を受けると、前記帯域制御装置に対して前記ユーザ端末装置と前記映像配信サーバとの間の通信路に確保された映像配信用の帯域を要求された帯域に変更する帯域変更要求を行う、ＳＩＰセッション制御装置。
【請求項９】
ＩＰネットワークを介して接続される、ユーザ端末装置、帯域制御装置、映像配信サーバを備える映像配信システムにおける帯域制御装置であって、
前記ユーザ端末装置と前記映像配信サーバとの間の通信路に映像配信用の帯域が確保された後、前記確保された映像配信用の帯域に対して、帯域変更を要求する帯域変更要求を受けると、前記ユーザ端末と前記映像配信サーバとの間の通信路に確保された帯域を要求された帯域に変更する、帯域制御装置。
【請求項１０】
ＩＰネットワークを介して接続される、ユーザ端末装置、ＳＩＰセッション制御装置、映像配信サーバを備える映像配信システムにおけるユーザ端末装置であって、
前記ユーザ端末装置と前記映像配信サーバとの間の通信路に映像配信用の帯域が確保された後、前記確保された映像配信用の帯域に対して、帯域変更を要求する帯域変更要求を前記ＳＩＰセッション制御装置に行う、ユーザ端末装置。
【請求項１１】
ＩＰネットワークを介して接続される、ユーザ端末装置、帯域制御装置、ＳＩＰセッション制御装置、映像配信サーバを備える映像配信システムにおけるＳＩＰセッション制御装置であって、
セッション確立要求を受けると、前記ユーザ端末装置と前記映像配信サーバとの間にセッションの確立を行うとともに、前記帯域制御装置に対して前記ユーザ端末装置と前記映像配信サーバとの間の通信路に映像配信制御用のパケットを優先的に通すよう優先制御要求を行い、
前記ユーザ端末装置もしくは前記映像配信サーバからの、帯域確保を要求する帯域確保要求を受けると、前記帯域制御装置に対して前記ユーザ端末装置と前記映像配信サーバとの間の通信路に映像配信用の帯域を確保する帯域確保要求を行う、ＳＩＰセッション制御装置。
【請求項１２】
ＩＰネットワークを介して接続される、ユーザ端末装置、帯域制御装置、ＳＩＰセッション制御装置、映像配信サーバを備える映像配信システムにおける帯域制御装置であって、
前記ＳＩＰセッション制御装置から、前記ユーザ端末装置と前記映像配信サーバとの間の通信路に映像配信制御用のパケットを優先的に通すための優先制御要求を受けると、前記ユーザ端末装置と前記映像配信サーバとの間の通信路に映像配信用のパケットを優先的に通すよう優先制御を行い、前記ＳＩＰセッション装置から、前記ユーザ端末装置と前記映像配信サーバとの間の通信路に映像配信用の帯域を確保する帯域確保要求を受けると、前記ユーザ端末装置と前記映像配信サーバとの間の通信路に要求された帯域を確保する、帯域制御装置。
【請求項１３】
ＩＰネットワークを介して接続される、ユーザ端末装置、帯域制御装置、ＳＩＰセッション制御装置、映像配信サーバを備える映像配信システムにおける映像配信サーバであって、
前記帯域制御装置により、前記ユーザ端末装置と前記映像配信サーバとの間の通信路に映像配信制御用のパケットを優先的に通すよう優先制御が行われた後、帯域確保を要求する帯域確保要求を前記ＳＩＰセッション制御装置に行う、映像配信サーバ。
【請求項１４】
ＩＰネットワークを介して接続される、ユーザ端末装置、帯域制御装置、ＳＩＰセッション制御装置、映像配信サーバを備える映像配信システムにおけるユーザ端末装置であって、
前記帯域制御装置により、前記ユーザ端末装置と前記映像配信サーバとの間の通信路に映像配信制御用のパケットを優先的に通すよう優先制御が行われた後、帯域確保を要求する帯域確保要求を前記ＳＩＰセッション制御装置に行う、ユーザ端末装置。
【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
ＩＰネットワークを介して接続される、ユーザ端末装置、帯域制御装置、ＳＩＰセッション制御装置、映像配信サーバを備える映像配信システムであって、
前記ユーザ端末装置は、ユーザ端末装置が映像配信サーバとの間でセッションを確立するための情報が含まれるコンテンツ情報を元に、映像配信サーバとの間でＳＩＰを用いたセッションを確立するセッション確立要求を前記ＳＩＰセッション制御装置に行い、
前記ＳＩＰセッション制御装置は、前記セッション確立要求を受けると、前記ユーザ端末装置と前記映像配信サーバとの間にセッションの確立を行うとともに、前記帯域制御装置に対して前記ユーザ端末装置と前記映像配信サーバとの間の通信路に映像配信用の帯域の確保を要求する帯域確保要求を行い、
前記帯域制御装置は前記帯域確保要求を受けると、前記ユーザ端末装置と前記映像配信サーバとの間の通信路に映像配信用の帯域を確保し、
前記ユーザ端末装置もしくは前記映像配信サーバは、前記確保された映像配信用の帯域に対して、映像配信に必要な帯域幅にあわせて帯域変更を要求する帯域変更要求を前記ＳＩＰセッション制御装置に行い、
前記ＳＩＰセッション制御装置は、前記帯域変更要求を受けると、前記帯域制御装置に対して前記ユーザ端末装置と前記映像配信サーバとの間の通信路に確保された映像配信用の帯域を映像配信用に必要な帯域に変更する帯域変更要求を行い、
前記帯域制御装置は前記帯域変更要求を受けると、前記ユーザ端末装置と前記映像配信サーバとの間の通信路に確保された帯域を映像配信用に必要な帯域に変更することを特徴とする映像配信システム。
【請求項２】
ＩＰネットワークを介して接続される、ユーザ装置端末、帯域制御装置、ＳＩＰセッション制御装置、映像配信サーバを備える映像配信システムであって、
前記ユーザ端末装置は、ユーザ端末装置が映像配信サーバとの間でセッションを確立するための情報が含まれるコンテンツ情報を元に、映像配信サーバとの間でＳＩＰを用いたセッションを確立するセッション確立要求を前記ＳＩＰセッション制御装置に行い、
前記ＳＩＰセッション制御装置は、前記セッション確立要求を受けると、前記ユーザ端末装置と前記映像配信サーバとの間にセッションの確立を行うとともに、前記帯域制御装置に対して前記ユーザ端末装置と前記映像配信サーバとの間の通信路に映像配信制御用のパケットを優先的に通すよう優先制御要求を行い、
前記帯域制御装置は前記優先制御要求を受けると、前記ユーザ端末装置と前記映像配信サーバとの間の通信路に映像配信制御用のパケットを優先的に通すよう優先制御を行い、
前記ユーザ端末装置もしくは前記映像配信サーバは、映像配信に必要な帯域幅にあわせて帯域確保を要求する帯域確保要求を前記ＳＩＰセッション制御装置に行い、
前記ＳＩＰセッション制御装置は、前記帯域確保要求を受けると、前記帯域制御装置に対して前記ユーザ端末装置と前記映像配信サーバとの間の通信路に映像配信用の帯域を確保する帯域確保要求を行い、
前記帯域制御装置は前記帯域確保要求を受けると、前記ユーザ端末装置と前記映像配信サーバとの間の通信路に映像配信用に必要な帯域を確保する映像配信システム。
【請求項３】
ＩＰネットワークを介して接続される、ユーザ端末装置、帯域制御装置、ＳＩＰセッション制御装置、映像配信サーバを備える映像配信システムで行われる映像配信方法であって、
前記ユーザ端末装置は、ユーザ端末装置が映像配信サーバとの間でセッションを確立するための情報が含まれるコンテンツ情報を元に、映像配信サーバとの間でＳＩＰを用いたセッションを確立するセッション確立要求を前記ＳＩＰセッション制御装置に行い、
前記ＳＩＰセッション制御装置は、前記セッション確立要求を受けると、前記ユーザ端末装置と前記映像配信サーバとの間にセッションの確立を行うとともに、前記帯域制御装置に対して前記ユーザ端末装置と前記映像配信サーバとの間の通信路に映像配信用の帯域の確保を要求する帯域確保要求を行い、
前記帯域制御装置は前記帯域確保要求を受けると、前記ユーザ端末装置と前記映像配信サーバとの間の通信路に映像配信用の帯域を確保し、
前記ユーザ端末装置もしくは前記映像配信サーバは、前記確保された映像配信用の帯域に対して、映像配信に必要な帯域幅にあわせて帯域変更を要求する帯域変更要求を前記ＳＩＰセッション制御装置に行い、
前記ＳＩＰセッション制御装置は、前記帯域変更要求を受けると、前記帯域制御装置に対して前記ユーザ端末装置と前記映像配信サーバとの間の通信路に確保された映像配信用の帯域を映像配信用に必要な帯域に変更する帯域変更要求を行い、
前記帯域制御装置は前記帯域変更要求を受けると、前記ユーザ端末装置と前記映像配信サーバとの間の通信路に確保された帯域を映像配信用に必要な帯域に変更することを特徴とする映像配信方法。
【請求項４】
ＩＰネットワークを介して接続される、ユーザ端末装置、帯域制御装置、ＳＩＰセッション制御装置、映像配信サーバを備える映像配信システムで行われる映像配信方法であって、
前記ユーザ端末装置は、ユーザ端末装置が映像配信サーバとの間でセッションを確立するための情報が含まれるコンテンツ情報を元に、映像配信サーバとの間でＳＩＰを用いたセッションを確立するセッション確立要求を前記ＳＩＰセッション制御装置に行い、
前記ＳＩＰセッション制御装置は、前記セッション確立要求を受けると、前記ユーザ端末装置と前記映像配信サーバとの間にセッションの確立を行うとともに、前記帯域制御装置に対して前記ユーザ端末装置と前記映像配信サーバとの間の通信路に映像配信制御用のパケットを優先的に通すよう優先制御要求を行い、
前記帯域制御装置は前記優先制御要求を受けると、前記ユーザ端末装置と前記映像配信サーバとの間の通信路に映像配信制御用のパケットを優先的に通すよう優先制御を行い、
前記ユーザ端末装置もしくは前記映像配信サーバは、映像配信に必要な帯域幅にあわせて帯域確保を要求する帯域確保要求を前記ＳＩＰセッション制御装置に行い、
前記ＳＩＰセッション制御装置は、前記帯域確保要求を受けると、前記帯域制御装置に対して前記ユーザ端末装置と前記映像配信サーバとの間の通信路に映像配信用の帯域を確保する帯域確保要求を行い、
前記帯域制御装置は前記帯域確保要求を受けると、前記ユーザ端末装置と前記映像配信サーバとの間の通信路に映像配信用に必要な帯域を確保する映像配信方法。
【請求項５】
ＩＰネットワークを介して接続される、ユーザ端末装置、帯域制御装置、ＳＩＰセッション制御装置、映像配信サーバを備える映像配信システムであって、
前記ユーザ端末装置は、ユーザ端末装置が映像配信サーバとの間でセッションを確立するための情報が含まれるコンテンツ情報を元に、映像配信サーバとの間でＳＩＰを用いたセッションを確立するセッション確立要求を前記ＳＩＰセッション制御装置に行い、
前記ＳＩＰセッション制御装置は、前記セッション確立要求を受けると、前記ユーザ端末装置と前記映像配信サーバとの間にセッションの確立を行うとともに、前記帯域制御装置に対して前記ユーザ端末装置と前記映像配信サーバとの間の通信路に映像配信用の帯域の確保を要求する帯域確保要求を行い、
前記ユーザ端末装置と前記映像配信サーバとの間でセッションの確立が行われる際に、
前記帯域制御装置は前記帯域確保要求を受けると、前記ユーザ端末装置と前記映像配信サーバとの間の通信路に映像配信用の帯域を確保し、
前記ユーザ端末装置もしくは映像配信サーバは、前記確保された映像配信用の帯域に対して、帯域変更を要求する帯域変更要求を前記ＳＩＰセッション制御装置に行い、
前記ＳＩＰセッション制御装置は、前記帯域変更要求を受けると、前記帯域制御装置に対して前記ユーザ端末装置と前記映像配信サーバとの間の通信路に確保された映像配信用の帯域を要求された帯域に変更する帯域変更要求を行い、
前記帯域制御装置は前記帯域変更要求を受けると、前記ユーザ端末装置と前記映像配信サーバとの間の通信路に確保された帯域を要求された帯域に変更する映像配信システム。
【請求項６】
ＩＰネットワークを介して接続される、ユーザ端末装置、帯域制御装置、ＳＩＰセッション制御装置、映像配信サーバを備える映像配信システムで行われる映像配信方法であって、
前記ユーザ端末装置は、ユーザ端末装置が映像配信サーバとの間でセッションを確立するための情報が含まれるコンテンツ情報を元に、映像配信サーバとの間でＳＩＰを用いたセッションを確立するセッション確立要求を前記ＳＩＰセッション制御装置に行い、
前記ＳＩＰセッション制御装置は、前記セッション確立要求を受けると、前記ユーザ端末装置と前記映像配信サーバとの間にセッションの確立を行うとともに、前記帯域制御装置に対して前記ユーザ端末装置と前記映像配信サーバとの間の通信路に映像配信用の帯域の確保を要求する帯域確保要求を行い、
前記ユーザ端末装置と前記映像配信サーバとの間でセッションの確立が行われる際に、
前記帯域制御装置は前記帯域確保要求を受けると、前記ユーザ端末装置と前記映像配信サーバとの間の通信路に映像配信用の帯域を確保し、
前記ユーザ端末装置もしくは前記映像配信サーバは、前記確保された映像配信用の帯域に対して、帯域変更を要求する帯域変更要求を前記ＳＩＰセッション制御装置に行い、
前記ＳＩＰセッション制御装置は、前記帯域変更要求を受けると、前記帯域制御装置に対して前記ユーザ端末装置と前記映像配信サーバとの間の通信路に確保された映像配信用の帯域を要求された帯域に変更する帯域変更要求を行い、
前記帯域制御装置は前記帯域変更要求を受けると、前記ユーザ端末装置と前記映像配信サーバとの間の通信路に確保された帯域を要求された帯域に変更する映像配信方法。
【請求項７】
ＩＰネットワークを介して接続される、ユーザ端末装置、帯域制御装置、ＳＩＰセッション制御装置、映像配信サーバを備える映像配信システムにおける映像配信サーバであって、
前記ユーザ端末装置は、ユーザ端末装置が映像配信サーバとの間でセッションを確立するための情報が含まれるコンテンツ情報を元に、映像配信サーバとの間でＳＩＰを用いたセッションを確立するセッション確立要求を前記ＳＩＰセッション制御装置に行い、
前記ＳＩＰセッション制御装置は、前記セッション確立要求を受けると、前記ユーザ端末装置と前記映像配信サーバとの間にセッションの確立を行うとともに、前記帯域制御装置に対して前記ユーザ端末装置と前記映像配信サーバとの間の通信路に映像配信用の帯域の確保を要求する帯域確保要求を行い、
前記ユーザ端末装置と前記映像配信サーバとの間でセッションの確立が行われる際に、
前記帯域制御装置は前記帯域確保要求を受けると、前記ユーザ端末装置と前記映像配信サーバとの間の通信路に映像配信用の帯域を確保し、
前記ユーザ端末装置もしくは映像配信サーバは、前記確保された映像配信用の帯域に対して、帯域変更を要求する帯域変更要求を前記ＳＩＰセッション制御装置に行い、
前記ＳＩＰセッション制御装置は、前記帯域変更要求を受けると、前記帯域制御装置に対して前記ユーザ端末装置と前記映像配信サーバとの間の通信路に確保された映像配信用の帯域を要求された帯域に変更する帯域変更要求を行い、
前記帯域制御装置は前記帯域変更要求を受けると、前記ユーザ端末装置と前記映像配信サーバとの間の通信路に確保された帯域を要求された帯域に変更する映像配信システムにおける映像配信サーバ。
【請求項８】
ＩＰネットワークを介して接続される、ユーザ端末装置、帯域制御装置、ＳＩＰセッション制御装置、映像配信サーバを備える映像配信システムにおけるＳＩＰセッション制御装置であって、
前記ユーザ端末装置は、ユーザ端末装置が映像配信サーバとの間でセッションを確立するための情報が含まれるコンテンツ情報を元に、映像配信サーバとの間でＳＩＰを用いたセッションを確立するセッション確立要求を前記ＳＩＰセッション制御装置に行い、
前記ＳＩＰセッション制御装置は、前記セッション確立要求を受けると、前記ユーザ端末装置と前記映像配信サーバとの間にセッションの確立を行うとともに、前記帯域制御装置に対して前記ユーザ端末装置と前記映像配信サーバとの間の通信路に映像配信用の帯域の確保を要求する帯域確保要求を行い、
前記ユーザ端末装置と前記映像配信サーバとの間でセッションの確立が行われる際に、
前記帯域制御装置は前記帯域確保要求を受けると、前記ユーザ端末装置と前記映像配信サーバとの間の通信路に映像配信用の帯域を確保し、
前記ユーザ端末装置もしくは映像配信サーバは、前記確保された映像配信用の帯域に対して、帯域変更を要求する帯域変更要求を前記ＳＩＰセッション制御装置に行い、
前記ＳＩＰセッション制御装置は、前記帯域変更要求を受けると、前記帯域制御装置に対して前記ユーザ端末装置と前記映像配信サーバとの間の通信路に確保された映像配信用の帯域を要求された帯域に変更する帯域変更要求を行い、
前記帯域制御装置は前記帯域変更要求を受けると、前記ユーザ端末装置と前記映像配信サーバとの間の通信路に確保された帯域を要求された帯域に変更する映像配信システムにおけるＳＩＰセッション制御装置。
【請求項９】
ＩＰネットワークを介して接続される、ユーザ端末装置、帯域制御装置、ＳＩＰセッション制御装置、映像配信サーバを備える映像配信システムにおける帯域制御装置であって、
前記ユーザ端末装置は、ユーザ端末装置が映像配信サーバとの間でセッションを確立するための情報が含まれるコンテンツ情報を元に、映像配信サーバとの間でＳＩＰを用いたセッションを確立するセッション確立要求を前記ＳＩＰセッション制御装置に行い、
前記ＳＩＰセッション制御装置は、前記セッション確立要求を受けると、前記ユーザ端末装置と前記映像配信サーバとの間にセッションの確立を行うとともに、前記帯域制御装置に対して前記ユーザ端末装置と前記映像配信サーバとの間の通信路に映像配信用の帯域の確保を要求する帯域確保要求を行い、
前記ユーザ端末装置と前記映像配信サーバとの間でセッションの確立が行われる際に、
前記帯域制御装置は前記帯域確保要求を受けると、前記ユーザ端末装置と前記映像配信サーバとの間の通信路に映像配信用の帯域を確保し、
前記ユーザ端末装置もしくは映像配信サーバは、前記確保された映像配信用の帯域に対して、帯域変更を要求する帯域変更要求を前記ＳＩＰセッション制御装置に行い、
前記ＳＩＰセッション制御装置は、前記帯域変更要求を受けると、前記帯域制御装置に対して前記ユーザ端末装置と前記映像配信サーバとの間の通信路に確保された映像配信用の帯域を要求された帯域に変更する帯域変更要求を行い、
前記帯域制御装置は前記帯域変更要求を受けると、前記ユーザ端末装置と前記映像配信サーバとの間の通信路に確保された帯域を要求された帯域に変更する映像配信システムにおける帯域制御装置。
【請求項１０】
ＩＰネットワークを介して接続される、ユーザ端末装置、帯域制御装置、ＳＩＰセッション制御装置、映像配信サーバを備える映像配信システムにおけるユーザ端末装置であって、
前記ユーザ端末装置は、ユーザ端末装置が映像配信サーバとの間でセッションを確立するための情報が含まれるコンテンツ情報を元に、映像配信サーバとの間でＳＩＰを用いたセッションを確立するセッション確立要求を前記ＳＩＰセッション制御装置に行い、
前記ＳＩＰセッション制御装置は、前記セッション確立要求を受けると、前記ユーザ端末装置と前記映像配信サーバとの間にセッションの確立を行うとともに、前記帯域制御装置に対して前記ユーザ端末装置と前記映像配信サーバとの間の通信路に映像配信用の帯域の確保を要求する帯域確保要求を行い、
前記ユーザ端末装置と前記映像配信サーバとの間でセッションの確立が行われる際に、
前記帯域制御装置は前記帯域確保要求を受けると、前記ユーザ端末装置と前記映像配信サーバとの間の通信路に映像配信用の帯域を確保し、
前記ユーザ端末装置もしくは映像配信サーバは、前記確保された映像配信用の帯域に対して、帯域変更を要求する帯域変更要求を前記ＳＩＰセッション制御装置に行い、
前記ＳＩＰセッション制御装置は、前記帯域変更要求を受けると、前記帯域制御装置に対して前記ユーザ端末装置と前記映像配信サーバとの間の通信路に確保された映像配信用の帯域を要求された帯域に変更する帯域変更要求を行い、
前記帯域制御装置は前記帯域変更要求を受けると、前記ユーザ端末装置と前記映像配信サーバとの間の通信路に確保された帯域を要求された帯域に変更する映像配信システムにおけるユーザ端末装置。
【請求項１１】
ＩＰネットワークを介して接続きれる、ユーザ端末装置、帯域制御装置、ＳＩＰセッション制御装置、映像配信サーバを備える映像配信システムにおけるＳＩＰセッション制御装置であって、
セッション確立要求を受けると、前記ユーザ端末装置と前記映像配信サーバとの間にセッションの確立を行うとともに、前記帯域制御装置に対して前記ユーザ端末装置と前記映像配信サーバとの間の通信路に映像配信制御用のパケットを優先的に通すよう優先制御要求を行い、
前記ユーザ端末装置もしくは前記映像配信サーバからの、帯域確保を要求する帯域確保要求を受けると、前記帯域制御装置に対して前記ユーザ端末装置と前記映像配信サーバとの間の通信路に映像配信用の帯域を確保する帯域確保要求を行う、ＳＩＰセッション制御装置。
【請求項１２】
ＩＰネットワークを介して接続される、ユーザ端末装置、帯域制御装置、ＳＩＰセッション制御装置、映像配信サーバを備える映像配信システムにおける帯域制御装置であって、
前記ＳＩＰセッション制御装置から、前記ユーザ端末装置と前記映像配信サーバとの間の通信路に映像配信制御用のパケットを優先的に通すための優先制御要求を受けると、前記ユーザ端末装置と前記映像配信サーバとの間の通信路に映像配信用のパケットを優先的に通すよう優先制御を行い、前記ＳＩＰセッション制御装置から、前記ユーザ端末装置と前記映像配信サーバとの間の通信路に映像配信用の帯域を確保する帯域確保要求を受けると、前記ユーザ端末装置と前記映像配信サーバとの間の通信路に要求された帯域を確保する、帯域制御装置。
【請求項１３】
ＩＰネットワークを介して接続される、ユーザ端末装置、帯域制御装置、ＳＩＰセッション制御装置、映像配信サーバを備える映像配信システムにおける映像配信サーバであって、
前記帯域制御装置により、前記ユーザ端末装置と前記映像配信サーバとの間の通信路に映像配信制御用のパケットを優先的に通すよう優先制御が行われた後、帯域確保を要求する帯域確保要求を前記ＳＩＰセッション制御装置に行う、映像配信サーバ。
【請求項１４】
ＩＰネットワークを介して接続される、ユーザ端末装置、帯域制御装置、ＳＩＰセッション制御装置、映像配信サーバを備える映像配信システムにおけるユーザ端末装置であって、
前記帯域制御装置により、前記ユーザ端末装置と前記映像配信サーバとの間の通信路に映像配信制御用のパケットを優先的に通すよう優先制御が行われた後、帯域確保を要求する帯域確保要求を前記ＳＩＰセッション制御装置に行う、ユーザ端末装置。
【国際調査報告】
2008091009.tif 000013
2008091009.tif 000014
2008091009.tif 000015